(57)【要約】【課題】ＣＰＡが作動する条件を、バヨネットリングを回動して接合が完了した状態になったときに限定し、ＣＰＡによるオスコネクタとメスコネクタとの接合状態を保証する回転式コネクタを提供する。【解決手段】第１のハウジング３と、第２のハウジング５と、第１のハウジング３の係止部１５に係止される被係止部１７を備え準備状態で所定の角度回動することで接合状態を形成し回動が阻止されるバヨネットリング７と、準備状態では第１の位置Ｐ１から移動することが阻止され接合状態では第２の位置Ｐ２への移動が可能になり、被係止部１７が係止部１５に係止されている状態を維持するコネクタポジション保証材９とを有する。【選択図】図２
2020177726.tif 000002
【特許請求の範囲】
【請求項１】
第１のハウジングと、
前記第１のハウジングに設置される第２のハウジングと、
前記第１のハウジング、前記第２のハウジングの少なくともいずれかに形成されている係止部に係止される被係止部を備え、前記第１のハウジングと前記第２のハウジングとに係合している準備状態で前記第１のハウジングに対して所定の角度回動することで、前記第１のハウジングに前記第２のハウジングが接合された接合状態を形成し、この接合状態では、前記被係止部が前記係止部に係止されて前記第１のハウジングに対する回動が阻止されるように構成されているバヨネットリングと、
前記バヨネットリングに形成されている当接部に当接する被当接部を備え、前記バヨネットリングに係合し、前記準備状態では、第１の位置に位置しているとともに、前記被当接部が前記当接部に当接することで前記第１の位置から移動することが阻止され、前記接合状態では、前記被当接部が前記当接部から離れ、前記第１の位置から第２の位置への移動が可能になり、前記第２の位置に位置したときには、前記被係止部が前記係止部に係止されている状態を維持するように構成されているコネクタポジション保証材と、
を有することを特徴とする回転式コネクタ。
【請求項２】
請求項１に記載の回転式コネクタにおいて、
前記コネクタポジション保証材は、保証材本体部と、この保証材本体部から突出している第１の保証材当接部と、前記保証材本体部から突出し前記被当接部を構成している第２の保証材当接部と、前記第２の保証材当接部の先端部で前記第２の保証材当接部から突出している保証材突出部とを備えて構成されており、
前記第１のハウジングは円柱状に形成されており、前記第１のハウジングの側面には、前記側面の周方向に所定の長さだけ延びている円弧状の溝が設けられており、この円弧状の溝は、この長手方向の一方の端部で途切れており、この途切れている部位が溝非形成部を構成しており、
前記バヨネットリングは、円環状に形成されており、前記第１のハウジングが内部に入るようにして、前記第１のハウジングに係合し、前記バヨネットリングには、前記保証材本体部が係合して前記コネクタポジション保証材が前記バヨネットリング周方向に移動するように、前記コネクタポジション保証材を支持しているコネクタポジション保証材支持部と、前記当接部を構成しており前記第２の保証材当接部が当接するバヨネットリング当接部とが設けられており、
前記準備状態では、前記保証材突出部が前記円弧状の溝内に入り込んで、前記第２の保証材当接部が前記バヨネットリング当接部に当接していることで、前記コネクタポジション保証材が前記第１の位置から移動することが阻止され、
前記接合状態では、前記保証材突出部が前記溝非形成部に当接することで、第２の保証材当接部が前記バヨネットリング当接部に非当接な状態になって、前記コネクタポジション保証材が前記第１の位置から前記第２の位置へ移動することが可能になり、
前記コネクタポジション保証材が前記第２の位置に位置していることで、前記第１の保証材当接部が前記被係止部に係合し、前記被係止部が前記係止部に係止されている状態が維持されるように構成されていることを特徴とする回転式コネクタ。
【請求項３】
請求項２に記載の回転式コネクタにおいて、
前記被係止部は、前記係止部に係止されるときに弾性変形する弾性変形部を備えて構成されており、
前記接合状態であって前記コネクタポジション保証材が前記第２の位置に位置しているときには、前記第１の保証材当接部によって前記弾性変形部の変形量が制限され、前記被係止部が前記係止部に係止されている状態が維持されるように構成されていることを特徴とする回転式コネクタ。
【請求項４】
請求項３に記載の回転式コネクタにおいて、
前記コネクタポジション保証材が前記第１の位置に位置している状態で、前記第１の保証材当接部が前記被係止部に当接して、前記弾性変形部が過大変形することが阻止されるように構成されていることを特徴とする回転式コネクタ。
【請求項５】
請求項３または請求項４に記載の回転式コネクタにおいて、
前記係止部は、前記第１のハウジングに設けられている係止突起で構成されており、
前記被係止部は、前記弾性変形部と、円弧状の被係止部本体部と、この被係止部本体部に設けられている被係止突起とを備えて構成されており、
前記被係止突起が前記係止突起に当接することで、前記被係止部が前記係止部に係止されるように構成されており、
前記弾性変形部は、前記バヨネットリングの円筒状のバヨネットリング本体部から突出しており、前記被係止部本体部は、バヨネットリング本体部の円弧の沿った円弧状に形成されており、この円弧の中間部が前記弾性変形部の先端部に接合されており、
前記コネクタポジション保証材が前記第２の位置にあるときには、前記第１の保証材当接部が、前記バヨネットリングと前記被係止部本体部との間に入り込むことで、前記弾性変形部が変形することが阻止されるように構成されていることを特徴とする回転式コネクタ。
【請求項６】
第１のハウジングと第２のハウジングとバヨネットリングとコネクタポジション保証材とを備え、前記第１のハウジングと前記第２のハウジングとに係合している前記バヨネットリングを回転させることで前記第１のハウジングに前記第２のハウジングを接合し、前記第１のハウジングに前記第２のハウジングが接合されている状態を、前記バヨネットリングに係合している前記コネクタポジション保証材を移動することで維持する回転式コネクタであって、
前記第１のハウジングに前記第２のハウジングを接合する前の準備状態では、前記コネクタポジション保証材の移動が阻止され、前記第１のハウジングに前記第２のハウジングが接合された接合状態では、前記コネクタポジション保証材の移動が可能になり、この移動をすることで、前記第１のハウジングに前記第２のハウジングが接合されている状態を維持するように構成されていることを特徴とする回転式コネクタ。
【発明の詳細な説明】
【技術分野】
【０００１】
本発明は、回転式コネクタに係り、特に、コネクタポジション保証材（ＣＰＡ）を有するものに関する。
【背景技術】
【０００２】
従来、図１４で示すような、オスコネクタ３０３とメスコネクタ（図示せず）と噛み合わせリング（バヨネットリング）３０５とを備えた回転嵌合式コネクタ（回転式コネクタ）３０１が知られている（たとえば特許文献１参照）。
【０００３】
従来の回転式コネクタ３０１では、オスコネクタハウジング３０７の外周壁部に、仮係止突起３０９と検知用係止突部３１１とが設けられている。
【０００４】
従来の回転式コネクタ３０１では、噛み合わせリング３０５の外面に、仮係止突起３０９に係合する軸方向の壁部３１３と、検知用係止突部３１１に係合する係止爪３１５を先端部内面に有する可撓係止アーム３１７とを設けられている。
【０００５】
また、従来の回転式コネクタ３０１では、検知用係止突部３１１の突出先端に可撓係止アーム３１７に当接する当接面３１９を形成しており、可撓係止アーム３１７に、当接面３１９に当接する被当接面を有する段部３２１を形成している。
【０００６】
そして、オスメス両コネクタの完全嵌合状態を、噛み合わせリング３０５の回転フィーリングに加えて、視覚と聴覚からも認識することができ、両コネクタの嵌合信頼性を向上させている。
【０００７】
また、従来、オスコネクタとメスコネクタとバヨネットリングとに加えてロックキー（ＣＰＡ）を備えた回転嵌合式コネクタ（回転式コネクタ）が知られている（たとえば特許文献２参照）。
【先行技術文献】
【特許文献】
【０００８】
【特許文献１】特開２００５−２６７９３０号公報
【特許文献２】特表２００９−５０５３４３号公報
【発明の概要】
【発明が解決しようとする課題】
【０００９】
ところで、ＣＰＡを備えた回転式コネクタでは、バヨネットリングを回動してオスコネクタとメスコネクタとの接合が完了した状態になったときにＣＰＡを作動可能状態にし、ＣＰＡを作動させてオスコネクタとメスコネクタとの接合状態を保証することが重要である。
【００１０】
本発明は、メスコネクタ（第１のコネクタ）とオスコネクタ（第２のコネクタ）とバヨネットリングとＣＰＡとを有する回転式コネクタにおいて、ＣＰＡが作動する条件を、バヨネットリングを回動して接合が完了した状態になったときに限定し、ＣＰＡによるオスコネクタとメスコネクタとの接合状態を保証するものを提供することを目的とする。
【課題を解決するための手段】
【００１１】
本発明は、第１のハウジングと、前記第１のハウジングに設置される第２のハウジングと、前記第１のハウジング、前記第２のハウジングの少なくともいずれかに形成されている係止部に係止される被係止部を備え、前記第１のハウジングと前記第２のハウジングとに係合している準備状態で前記第１のハウジングに対して所定の角度回動することで、前記第１のハウジングに前記第２のハウジングが接合された接合状態を形成し、この接合状態では、前記被係止部が前記係止部に係止されて前記第１のハウジングに対する回動が阻止されるように構成されているバヨネットリングと、前記バヨネットリングに形成されている当接部に当接する被当接部を備え、前記バヨネットリングに係合し、前記準備状態では、第１の位置に位置しているとともに、前記被当接部が前記当接部に当接することで前記第１の位置から移動することが阻止され、前記接合状態では、前記被当接部が前記当接部から離れ、前記第１の位置から第２の位置への移動が可能になり、前記第２の位置に位置したときには、前記被係止部が前記係止部に係止されている状態を維持するように構成されているコネクタポジション保証材とを有する回転式コネクタである。
【発明の効果】
【００１２】
本発明によれば、第１のコネクタと第２のコネクタとバヨネットリングとＣＰＡとを有する回転式コネクタにおいて、ＣＰＡが作動する条件を、バヨネットリングを回動して接合が完了した状態になったときに限定し、ＣＰＡによるオスコネクタとメスコネクタとの接合状態を保証することができるという効果を奏する。
【図面の簡単な説明】
【００１３】
【図１】本発明の１の実施形態に係る回転式コネクタの斜視図である。
【図２】本発明の１の実施形態に係る回転式コネクタの分解斜視図である。
【図３】本発明の１の実施形態に係る回転式コネクタのオスハウジングの側面図である。
【図４】（ａ）は、本発明の１の実施形態に係る回転式コネクタのバヨネットリングの側面図であって、（ｂ）は（ａ）におけるＩＶＢ矢視図であり、（ｃ）は（ａ）におけるＩＶＣ矢視図である。
【図５】本発明の１の実施形態に係る回転式コネクタのバヨネットリングの斜視図である。
【図６】本発明の１の実施形態に係る回転式コネクタのメスハウジングの斜視図である。
【図７】本発明の１の実施形態に係る回転式コネクタのコネクタポジション保証材を示す図であって、（ａ）は斜視図であり、（ｂ）は（ａ）におけるＶＩＩＢ矢視図であり、（ｃ）は（ｂ）におけるＶＩＩＣ矢視図である。
【図８】本発明の１の実施形態に係る回転式コネクタの断面斜視図であって、準備状態でコネクタポジション保証材が第１の位置に位置している状態を示す図である。
【図９】図８におけるＩＸ矢視図である。
【図１０】本発明の１の実施形態に係る回転式コネクタの接合動作を示す断面図であり、（ａ）は接合状態でコネクタポジション保証材が第１の位置に位置している状態を示す図であり、（ｂ）は接合状態でコネクタポジション保証材が第２の位置に位置している状態（完全接合状態）を示す図である。
【図１１】図９に対応した断面図（別の箇所を示す断面図）であって、準備状態でコネクタポジション保証材が第１の位置に位置している状態を示す図である。
【図１２】本発明の２の実施形態に係る回転式コネクタのコネクタポジション保証材を示す図であって、（ａ）は斜視図であり、（ｂ）は（ａ）におけるＸＩＩＢ矢視図であり、（ｃ）は（ｂ）におけるＸＩＩＣ矢視図である。
【図１３】本発明の２の実施形態に係る回転式コネクタの断面図であり、（ａ）は、コネクタポジション保証材が第１の位置に位置している状態を示す図であり、（ｂ）は、コネクタポジション保証材が第２の位置に位置している状態（完全接合状態）を示す図である。
【図１４】従来の回転式コネクタを示す図であり、（ｂ）は（ａ）におけるＸＩＶＢ部の拡大図である。
【発明を実施するための形態】
【００１４】
［第１の実施形態］
本発明の第１の実施形態に係る回転式コネクタ（回転嵌合式コネクタ）１は、バヨネットリング７を用いてコネクタ同士を接合し、コネクタポジション保証材９を用いてコネクタ同士の接合状態を保証するものであり、図１、図２で示すように、第１のハウジング（たとえばメスハウジング）３と第２のハウジング（たとえばオスハウジング）５とバヨネットリング（噛み合わせリング）７とコネクタポジション保証材（ＣＰＡ；Ｃｏｎｎｅｃｔｏｒ  Ｐｏｓｉｔｉｏｎ  Ａｓｓｕｒａｎｃｅ）９とを備えて構成されている。
【００１５】
ここで、説明の便宜のために所定の一方向を前後方向とする。また、メスハウジング３、オスハウジング５、バヨネットリング７、コネクタポジション保証材（ハウジングポジション保証材）９のそれぞれは、たとえば絶縁性の合成樹脂で構成されており、一体成形されているものとする。
【００１６】
メスハウジング３は、図６等で示すように、メスハウジング本体部（第１のハウジング本体部）１１を備えて構成されている。オスハウジング５は、メスハウジング３に設置されるようになっており、図３等で示すように、オスハウジング本体部（第２のハウジング本体部）１３を備えて構成されている。
【００１７】
バヨネットリング７は、図４、図５等で示すように、バヨネットリング本体部１９と、メスハウジング３に形成されている（メスハウジング本体部１１に設けられている）係止部１５（図６参照）に係止される被係止部１７とを備えて構成されている。なお、係止部１５が、オスハウジング５に形成されていてもよいし、係止部１５が、メスハウジング３、オスハウジング５の少なくともいずれかに形成されていてもよい。
【００１８】
また、バヨネットリング７は、メスハウジング３とオスハウジング５とに係合するように構成されている。この係合をしている状態で、バヨネットリング７は、メスハウジング３とオスハウジング５とに対して、所定の態様で移動自在になっている。
【００１９】
そして、メスハウジング３とオスハウジング５とに係合している準備状態（図１、図８、図９、図１１参照）で、メスハウジング３（オスハウジング５）に対してバヨネットリング７が、図１に矢印Ａ１で示す方向に、所定の角度だけ回動することで、メスハウジング３にオスハウジング５が接合された接合状態（図１０（ａ）参照）を形成するようになっている。
【００２０】
この接合状態では、図１０等で示すように、被係止部１７が係止部１５に係止されて、バヨネットリング７のメスハウジング３やオスハウジング５に対する移動が阻止され、バヨネットリング７とメスハウジング３とオスハウジング５とが一体化し、メスハウジング３とオスハウジング５との接合状態が維持されるように構成されている。
【００２１】
さらに説明すると、上記準備状態では、メスハウジング３に対してバヨネットリング７が所定の一方向に回動できるようになっている。上記準備状態からバヨネットリング７が所定の一方向に所定の角度回動することで、オスハウジング５がメスハウジング３に近づく方向（前方向）に直線的に移動するようになっている。
【００２２】
上記準備状態では、メスハウジング３に設置されているメス端子（図示せず）と、オスハウジング５に設置されているオス端子（図示せず）とが、お互いに離れている。
【００２３】
上記接合状態では、メスハウジング３にオスハウジング５が最接近しており、被係止部１７が係止部１５に係止されていることで、メスハウジング３とオスハウジング５とに対して、バヨネットリング７がほぼ固定されている。すなわち、上記接合状態では、ガタツキ分を除くと、バヨネットリング７が、メスハウジング３とオスハウジング５とに対して、移動できないようになっている。そして、上記接合状態が維持され上記接合状態を容易には解除することができないようになっている。
【００２４】
また、上記接合状態では、メスハウジング３に設置されているメス端子（図示せず）と、オスハウジング５に設置されているオス端子（図示せず）とがお互いに接続されている。
【００２５】
コネクタポジション保証材９は、保証材本体部２１と被当接部２３とを備えて構成されている。被当接部２３は、バヨネットリング７（バヨネットリング本体部１９）に設けられている当接部２５に当接するようになっている。
【００２６】
また、コネクタポジション保証材９は、バヨネットリング７に対し第１の位置Ｐ１（図８、図９参照）と第２の位置Ｐ２（図１０（ｂ）参照）との間で移動自在なように、バヨネットリング７に係合するようになっている。
【００２７】
そして、上記準備状態では、コネクタポジション保証材９が、第１の位置Ｐ１に位置しているとともに、図１１（ａ）で示すように、被当接部２３が当接部２５に当接することで第１の位置Ｐ１から移動することが阻止されるようになっている（第１の位置Ｐ１に位置していることが維持されるようになっている）。
【００２８】
一方、上記接合状態では、被当接部２３が当接部２５から離れ（被当接部２３が当接部２５に非当接な状態になり）、図１０（ａ）に矢印Ａ２で示す方向に、コネクタポジション保証材９が、第１の位置Ｐ１から第２の位置Ｐ２へ移動可能な状態になるよう構成されている。
【００２９】
コネクタポジション保証材９が、図１０（ｂ）で示すように、第２の位置Ｐ２に位置したときには、被係止部１７が係止部１５に係止されている状態が維持（保証）されるように構成されている。すなわち、被係止部１７が係止部１５に係止されている状態の解除が阻止され、バヨネットリング７がメスハウジング３とオスハウジング５とに対して回動しないように構成されている。
【００３０】
なお、上記準備状態でバヨネットリング７をメスハウジング３に対して所定の角度だけ回動するときには、第１の位置Ｐ１の位置に位置しているコネクタポジション保証材９も、バヨネットリング７と一体になって回動するようになっている。
【００３１】
また、バヨネットリング７に、コネクタポジション保証材９が、第１の位置Ｐ１に位置しているかもしくは第２の位置Ｐ２に位置しているかを示すマーク（しるし）が設けられていてもよい。これにより、コネクタポジション保証材９の位置を視覚で容易に確認することができる。たとえば、コネクタポジション保証材９が第２の位置Ｐ２に位置していることを視覚で容易に認識することができ、メスコネクタ（メスハウジング３）とオスコネクタ（オスハウジング５）との接合状態の保証（接合完了状態）を視覚で確認することができる。
【００３２】
コネクタポジション保証材９は、図５等で示すように、保証材本体部２１の他に、第１の保証材当接部２７と、被当接部２３を構成している第２の保証材当接部２９と保証材突出部（保証材突起部）３１とを備えて構成されている。
【００３３】
第１の保証材当接部２７は、保証材本体部２１から片持ち梁状になって突出している。第２の保証材当接部２９は、第１の保証材当接部２７とならんで保証材本体部２１から片持ち梁状になって突出している。保証材突出部３１は、第２の保証材当接部２９の先端部で第２の保証材当接部２９から突出している。
【００３４】
メスハウジング３（メスハウジング本体部１１の外形）は円柱状に形成されている。メスのハウジングの側面（円柱の側面）には、この側面より凹んで円柱の側面の周方向に所定の長さだけ延びている円弧状の溝（所定の幅の溝）３３が設けられている（図６、図９等参照）。
【００３５】
円弧状の溝３３は、この長手方向（円弧の延伸方向）の一方の端部で（僅かな長さだけ）途切れており、この途切れている部位が溝非形成部３５を構成している。
【００３６】
バヨネットリング７（バヨネットリング本体部１９）は、円環状に形成されている。バヨネットリング７は、メスハウジング３の前後方向後端部とオスハウジング５の前後方向前端部とが内部に入るようにして、メスハウジングとオスハウジング５に係合するようになっている。
【００３７】
また、バヨネットリング７は、図４、図５等で示すように、コネクタポジション保証材支持部３７と、当接部２５を構成しているバヨネットリング当接部３９とを備えて構成されている。
【００３８】
コネクタポジション保証材支持部３７には、コネクタポジション保証材９の保証材本体部２１が係合するようになっている。コネクタポジション保証材支持部３７に係合してバヨネットリング７に支持されている保証材本体部２１（コネクタポジション保証材９）は、バヨネットリング７の周方向で所定の距離だけ移動できるようになっている。
【００３９】
そして、上記準備状態では、コネクタポジション保証材９の保証材突出部３１がメスハウジング３の円弧状の溝３３内に入り込んでおり、コネクタポジション保証材９の第２の保証材当接部２９（被当接部２３）が、バヨネットリング７のバヨネットリング当接部３９（当接部２５）に当接していることで、コネクタポジション保証材９が第１の位置Ｐ１から第２の位置Ｐ２に向かって移動することが阻止されるようになっている（図１１の矢印Ａ６で示す移動ができないようになっている）。
【００４０】
一方、上記接合状態では、コネクタポジション保証材９の保証材突出部３１がメスハウジング３の溝非形成部３５に当接することで、図１０（ａ）から図１０（ｂ）へ変化する途中の状態になり、第２の保証材当接部２９がバヨネットリング当接部３９に非当接な状態になって（第２の保証材当接部２９がメスハウジング３やオスハウジング５やバヨネットリング７の外側に移動してバヨネットリング当接部３９から離れ）、コネクタポジション保証材９が第１の位置Ｐ１から第２の位置Ｐ２へ移動することが可能になる。
【００４１】
コネクタポジション保証材９が第２の位置Ｐ２に位置していることで、第１の保証材当接部２７が、図１０（ｂ）で示すように、被係止部１７のところに位置し、被係止部１７が係止部１５に係止されている状態が維持される（被係止部が係止部に係止されている状態を解除できない状態である接合完了状態が保証される）ように構成されている。
【００４２】
バヨネットリング７の被係止部１７は、図４等で示すように、メスハウジング３の係止部１５に係止されるときに、または、被係止部１７の係止部１５による係止が解除されるときに、弾性変形する弾性変形部４１を備えて構成されている。
【００４３】
被係止部１７がメスハウジング３の係止部１５に係止されるときや被係止部１７の係止部１５による係止が解除されるときには、弾性変形部４１が第１の変形量だけ変形するようになっている。
【００４４】
上記接合状態であってコネクタポジション保証材９が第２の位置Ｐ２に位置しているときには（図１０（ｂ）で示す接合完了状態では）、第１の保証材当接部２７によって弾性変形部４１の変形量が制限され、被係止部１７が係止部１５に係止されている状態が維持されるように構成されている。
【００４５】
すなわち、接合完了状態では、第１の保証材当接部２７によって弾性変形部４１が第２の変形量（第１の変形量よりも少ない第２の変形量）だけしか変形できず、被係止部１７が係止部１５に係止されている状態が解除できないようになっている。
【００４６】
被係止部１７が係止部１５に係止されたとき（係止がされている状態）や、被係止部１７の係止部１５による係止が解除されたとき（係止が解除されている状態）には、弾性変形部が復元し、非変形状態になる。
【００４７】
メスハウジング３の係止部１５は、メスハウジング３（メスハウジング本体部１１）に設けられている係止突起４３（図６等参照）で構成されている。
【００４８】
バヨネットリング７の被係止部１７は、図４等で示すように、上述した弾性変形部４１と、円弧状の被係止部本体部４５と、この被係止部本体部４５に設けられている被係止突起４７とを備えて構成されている。そして、被係止突起４７が係止突起４３に当接することで、被係止部１７が係止部１５に係止されるように構成されている。
【００４９】
バヨネットリング７の弾性変形部４１は、バヨネットリング７の円筒状のバヨネットリング本体部１９から突出しており、バヨネットリング７の被係止部本体部４５は、バヨネットリング本体部１９の円弧の沿った円弧状に形成されており、この円弧の中間部が弾性変形部４１の先端部に接合されている。
【００５０】
そして、コネクタポジション保証材９が第２の位置Ｐ２にあるときには、図１０（ｂ）で示すように、コネクタポジション保証材９の第１の保証材当接部２７が、メスハウジング３とバヨネットリング７の被係止部本体部４５との間に入り込むことで、弾性変形部４１が変形（上記第１の変形庁よりも少ない上記第２の変形量よりも大きく変形）することが阻止されるように構成されている。すなわち、弾性変形部４１が、図１０（ｂ）に示す隙間寸法Ｌ３の分だけしか変形することができないようになっている。
【００５１】
ここで、回転式コネクタ１についてさらに詳しく説明する。
【００５２】
メスハウジング３は、図６で示すように、上述したメスハウジング本体部１１、係止部１５、円弧状の溝３３、溝非形成部３５に加えて、鍔部４９と、複数のメス端子やこれらのメス端子から延出している電線が収容されて設置される端子収容部５１とを備えて構成されている。
【００５３】
メスハウジング本体部１１は、肉厚の円筒状に形成されており、円筒の中心軸が前後方向に延伸している。鍔部４９は、円板状に形成されており、メスハウジング本体部１１と同軸配置されてメスハウジング本体部１１の後端に設けられている。端子収容部５１は、メスハウジング本体部１１の内側に設けられている。端子収容部５１に設置された端子付電線（図示せず）は、この端子が端子収容部５１の後側に位置し、電線が端子収容部５１の前側に延出する。
【００５４】
円弧状の溝３３と溝非形成部３５とは、メスハウジング本体部１１の後側でメスハウジング本体部１１の外周に形成されており、溝３３の円弧の中心は、メスハウジング本体部１１の中心軸上に存在している。
【００５５】
係止部１５（係止突起４３）は、メスハウジング本体部１１の前側（前後方向で鍔部４９と円弧状の溝３３との間）でメスハウジング本体部１１の外周に設けられている。
【００５６】
また、メスハウジング３（メスハウジング本体部１１）には、円環状の凹部５３が設けられている。凹部５３は、前後方向で係止部１５（係止突起４３）と円弧状の溝３３との間に設けられている。
【００５７】
オスハウジング５は、上述したオスハウジング本体部１３に加え、図２や図３で示すように、端子収容部５５と螺旋状の凹部（溝状部）５７とを備えて構成されている。
【００５８】
オスハウジング本体部１３は、肉厚の円筒状に形成されており、円筒の中心軸が前後方向に延伸している。端子収容部５５は、オスハウジング本体部１３の内側に設けられている。端子収容部５５に設置された端子付電線（図示せず）は、この端子が端子収容部５５の前側に位置し、電線が端子収容部５５の後側に延出する。
【００５９】
オスハウジング本体部１３の中心軸の延伸方向（前後方向）で見ると、１本の溝状部５７は、上記中心軸を中心とする中心角がたとえば１２０°程度の所定の角度の扇形の円弧のところに位置している。
【００６０】
溝状部５７は、複数本（たとえば３本）設けられており、前後方向で見ると、各溝状部５７は、オスハウジング本体部１３の円を等分配（たとえば３等配）する位置に配置されている。
【００６１】
また、１本の溝状部５７は、第１の溝状部位５９と第２の溝状部位６１と第３の溝状部位６３とで構成されている。各溝状部位５９、６１、６３の深さ寸法の値、幅寸法の値はお互いが一致している。
【００６２】
また、前後方向に対して直交する所定の一方向で１本の溝状部５７を見ると、図３で示すように、第１の溝状部位５９は、オスハウジング本体部１３の前端から後側に短い僅かな長さ延びている。第２の溝状部位６１は、第１の溝状部位５９の後端から前後方向に対して斜めに所定の長さ延びている。第３の溝状部位６３は、第２の溝状部位６１の後端から前後方向に対して直交する方向に所定の長さ（第１の溝状部位５９よりも長く第２の溝状部位６１よりも短い所定の長さ）延びている。
【００６３】
バヨネットリング７は、上述したバヨネットリング本体部１９、被係止部１７、当接部２５（バヨネットリング当接部３９）、コネクタポジション保証材支持部３７に加えて、図４や図５で示すように、係合突起６５と係合凸部６７とを備えて構成されている。
【００６４】
バヨネットリング本体部１９は、前側部位７３と後側部位７５とで構成されており、前側部位７３は、内側にリブ６９が突出している円筒状に形成されている。バヨネットリング本体部１９（前側部位７３、後側部位７５）の内径は、メスハウジング本体部１１の外径およびオスハウジング本体部１３の外径とほぼ等しいか僅かに大きくなっている。なお、バヨネットリング本体部１９の前側部位７３の内径とは、前後方向で見て、リブ６９の先端で形成される包絡円の直径である。
【００６５】
コネクタポジション保証材支持部３７は、図４、図５等で示すように、バヨネットリング本体部１９の外周部から内側に凹んでいる凹部７１で構成されている。凹部７１は、円筒状のバヨネットリング本体部１９の周方向では、バヨネットリング本体部１９の前側部位７３の一部に形成されており、前後方向では、前側部位７３の中央部に形成されている。
【００６６】
当接部２５（バヨネットリング当接部３９）は、図１１で示すように、一部のリブ６９で構成されている。
【００６７】
被係止部１７は、円筒状のバヨネットリング本体部１９の前側部位７３の周方向で、凹部７１の近くに設けられており、上述したように、また、図４（ｃ）で示すように、弾性変形部４１と被係止部本体部４５と被係止突起４７とを備えて構成されている。
【００６８】
前後方向で見て、被係止部本体部４５は、短い円弧状に形成されており、この円弧の中間部に弾性変形部４１が位置している。被係止突起４７は、被係止部本体部４５の円弧の一方の端部に設けられている。
【００６９】
被係止部本体部４５の円弧の他方の端部（操作部）８１を、図４（ｃ）に矢印Ａ３で示すように内側に押すと、主として、弾性変形部４１が弾性変形し、被係止突起４７が、図４（ｃ）に矢印Ａ４で示すように、外側に移動し、メスハウジング３の係止部１５に係止されているバヨネットリング７の被係止部１７が、係止部１５から離れるようになっている。
【００７０】
そして、バヨネットリング７が、メスハウジング３やオスハウジング５に対して、図１０（ａ）に矢印Ａ５で示す方向に回動できるようになり、メスハウジング３とオスハウジング５との接合状態を解除することができるようになっている。
【００７１】
係合突起６５は、バヨネットリング本体部１９の後側でバヨネットリング本体部１９の内壁から中心に向かって僅かに突出している背の低い円柱状に形成されている。円柱状の係合突起６５の外径の値は、溝状部５７の幅寸法の値と等しいか僅かに小さくなっている。円柱状の係合突起６５の高さ寸法の値は、溝状部５７の深さ寸法の値よりも小さくなっている。
【００７２】
係合突起６５は、図５で示すように、オスハウジング５の螺旋状の凹部（溝状部）５７と同じ数だけ設けられている。そして、準備状態や接合状態では、各係合突起６５のそれぞれが、各溝状部５７のそれぞれに入り込んでいる。
【００７３】
係合凸部６７は、弾性アーム部７７と突起７９とを備えて構成されている。弾性アーム部７７は、バヨネットリング本体部１９の内壁の近傍でバヨネットリング本体部１９に沿って前後方向に延びており、弾性アーム部７７の基端部（後端部）は、バヨネットリング本体部１９に接合されている。
【００７４】
突起７９は、弾性アーム部７７の先端部（前端部）から、バヨネットリング本体部１９の中心に向かって僅かに突出している。係合凸部６７は、複数（たとえば３つ）設けられており、前後方向で見たときに、バヨネットリング本体部１９の円を等配（たとえば３等配）する位置に配置されている。
【００７５】
上述した準備状態や接合状態では、バヨネットリング７の各突起７９のそれぞれが、メスハウジング３の円環状の凹部５３に入り込んでおり、バヨネットリング７の係合突起６５のそれぞれが、オスハウジング５の各溝状部５７のそれぞれに入り込んでいる。
【００７６】
そして、準備状態で、メスハウジング３に対してバヨネットリング７を一方の側に回動することで、上述した接合状態になり、この接合状態で、メスハウジング３に対してバヨネットリング７を他方の側に回動することで、準備状態になるように構成されている。
【００７７】
なお、上記準備状態では、各係合突起６５が第２の溝状部位６１（オスハウジング５の溝状部５７の第２の溝状部位６１の前端部）に入り込んでおり、接合状態では、各係合突起６５が第３の溝状部位６３に入り込むようになっている。
【００７８】
コネクタポジション保証材９は、上述した保証材本体部２１、第１の保証材当接部２７、被当接部２３（第２の保証材当接部２９）、保証材突出部３１の加えて、図２や図７で示すように、操作部８３と一対の突起８５とを備えて構成されている。
【００７９】
そして、コネクタポジション保証材９が第１の位置Ｐ１に位置して上述した準備状態になっているときには、図８、図９、図１１で示すように、コネクタポジション保証材９の第２の保証材当接部２９に設けられている保証材突出部３１が、メスハウジング３に設けられている円弧状の溝３３内に入り込んでおり、コネクタポジション保証材９の被当接部２３がバヨネットリング７の当接部２５の当接している。この当接によって、コネクタポジション保証材９が第１の位置Ｐ１から第２の位置Ｐ２に移動できないようになっている。
【００８０】
また、上述した接合状態でコネクタポジション保証材９が第１の位置Ｐ１に位置しているときには、図１０（ａ）で示すように、バヨネットリング７の被係止部１７がメスハウジング３の係止部１５に係止されているとともに、コネクタポジション保証材９の保証材突出部３１が溝非形成部３５に当接するか溝非形成部３５の近傍に位置している。
【００８１】
また、上述した接合状態でコネクタポジション保証材９が第１の位置Ｐ１から第２の位置に移動する途中の状態では、バヨネットリング７の被係止部１７がメスハウジング３の係止部１５に係止されているとともに、コネクタポジション保証材９の保証材突出部３１が溝非形成部３５に乗り上げることで、コネクタポジション保証材９の被当接部２３がバヨネットリング７の当接部２５に非当接な状態になる。
【００８２】
さらに、上述した接合状態でコネクタポジション保証材９が第１の位置Ｐ１から第２の位置に移動し終えた状態（接合完了状態）では、図１０（ｂ）で示すように、バヨネットリング７の被係止部１７がメスハウジング３の係止部１５に係止されているとともに、コネクタポジション保証材９の保証材突出部３１が溝非形成部３５に乗り超えて円弧状の溝３３（３３Ａ）内に位置している。これにより、第２の位置Ｐ２に位置しているコネクタポジション保証材９が第１の位置Ｐ１側には容易に移動しないようになっている。
【００８３】
また、接合完了状態では、メスハウジング３とコネクタポジション保証材９の被係止部１７を構成している被係止部本体部４５の一方の端部との間に、第１の保証材当接部２７が入り込み、被係止部１７の弾性変形部４１の弾性変形量が少なくなり、被係止部１７が係止部１５から外れてしまうことが防止されるようになっている。
【００８４】
また、回転式コネクタ１には、図２で示すように、フロントホルダ８７とパッキン（シール）８９とを備えて構成されており、上述した接合状態では、フロントホルダ８７やパッキン８９も、メスハウジング３やオスハウジング５やバヨネットリング７と一体化している。
【００８５】
次に、上述した準備状態から上述した接合状態を経て上述した接合完了状態に至るまでの回転式コネクタ１の接合動作について説明する。
【００８６】
まず、準備状態において、メスハウジング３に対してバヨネットリング７を図１に矢印Ａ１で示す方向に回転させて接合状態にする。このとき（準備・接合段階のとき）、バヨネットリング７は、メスハウジング３に対しては、前後方向では移動することなく、メスハウジング３の中心軸まわりで回転するだけである。一方、オスハウジング５は、メスハウジング３やオスハウジング５の中心軸まわりで回転することはなく、前側に移動しオスハウジング５に近づく。
【００８７】
また、準備・接合段階のとき、コネクタポジション保証材９の被当接部２３がバヨネットリング７の当接部２５に当接したまま、コネクタポジション保証材９の保証材突出部３１が、メスハウジング３の円弧状の溝３３内を移動する。
【００８８】
また、準備・接合段階の終わりごろには、メスハウジング３の係止部１５を構成している係止突起４３に、バヨネットリング７の被係止部１７を構成している被係止突起４７が当接し、被係止部１７の弾性変形部４１が弾性変形し、被係止突起４７が係止突起４３を乗り越える。そして、上述した接合状態になる。
【００８９】
上記接合状態では、図１０（ａ）で示すように、バヨネットリング７の被係止部１７がメスハウジング３の係止部１５に係止され、しかも、保証材突出部３１が、溝非形成部３５に当接する。
【００９０】
上記接合状態で、バヨネットリング７に対して、第１の位置Ｐ１に位置しているコネクタポジション保証材９を第２の位置Ｐ２に移動する。このとき、保証材突出部３１が溝非形成部３５に乗り上げることで、コネクタポジション保証材９の被当接部２３（第２の保証材当接部２９）が、バヨネットリング７の当接部２５（バヨネットリング当接部３９）から外れ、第２の位置Ｐ２への移動が可能になる。
【００９１】
コネクタポジション保証材９が第２の位置Ｐ２まで移動することで、接合完了状態になる。接合完了状態では、図１０（ｂ）で示すように、保証材突出部３１が円弧状の溝３３Ａ内に入っているとともに、コネクタポジション保証材９の第１の保証材当接部２７が、バヨネットリング７の被係止部１７を構成している被係止部本体部４５の内側に入り込み、弾性変形部４１の弾性変形が抑制される。
【００９２】
なお、上述した接合完了状態から接合状態を経て上述した準備状態に至るまでの回転式コネクタ１の分離動作は、上述した接合動作とは逆に手順を経てなされる。ただし、上述した接合状態から上述した準備状態にするときには、図１０（ａ）で示すように、被係止部本体部４５の一方の端部（被係止突起４７とは反対側の操作部８１）を矢印Ａ７（図４（ｃ）の矢印Ａ３）で示す方向に押し、被係止部本体部４５の他方の端部を矢印Ａ８（図４（ｃ）の矢印Ａ４）で示す方向に持ち上げる。
【００９３】
回転式コネクタ１では、各ハウジング３、５の準備状態は、コネクタポジション保証材９の被当接部２３がバヨネットリング７の当接部２５に当接することで、コネクタポジション保証材９が第１の位置Ｐ１から移動することが阻止されるように構成されている。また、各ハウジング３、５の接合状態で、コネクタポジション保証材９が第１の位置Ｐ１から第２の位置Ｐ２へ移動可能になり、コネクタポジション保証材９が第２の位置Ｐ２に移動し終えたときに、バヨネットリング７の被係止部１７がメスハウジング３の係止部１５に係止されている状態が維持（保証）されるように構成されている。これにより、コネクタポジション保証材９が作動する条件を、バヨネットリング７を回動して接合がされた状態（接合状態）になったときに限定することができ、コネクタポジション保証材９によるオスハウジング５とメスハウジング３との接合状態を保証することができる。
【００９４】
また、回転式コネクタ１は、上述した準備状態では、保証材突出部３１がメスハウジング３の円弧状の溝３３内に入り込んで、第２の保証材当接部２９がバヨネットリング当接部３９に当接していることで、コネクタポジション保証材９が第１の位置Ｐ１から第２の位置Ｐ２へ移動することが阻止されるように構成されている。また、上述した接合状態では、保証材突出部３１が溝非形成部３５に当接することで、第２の保証材当接部２９がバヨネットリング当接部３９に非当接な状態になって、コネクタポジション保証材９が第１の位置Ｐ１から第２の位置Ｐ２へ移動することが可能になるように構成されている。また、溝非形成部３５が、メスハウジング３の円弧状の溝３３の円弧の延伸方向の一方の端部で僅かな長さだけ途切れていることで形成されている。
【００９５】
これにより、コネクタポジション保証材９の保証材突出部３１と係合するメスハウジング３の構成を簡素化することができる。
【００９６】
また、回転式コネクタ１によれば、上述した接合状態であってコネクタポジション保証材９が第２の位置Ｐ２に位置しているときに（接合完了状態になっているときに）、第１の保証材当接部２７によってバヨネットリング７の被係止部１７を構成している弾性変形部４１の変形量が制限され、バヨネットリング７の被係止部１７がメスハウジング３の係止部１５に係止されている状態が維持されるように構成されているので、バヨネットリング７の被係止部１７がメスハウジング３の係止部１５に係止されている状態の維持を的確にすることができる。
【００９７】
また、回転式コネクタ１では、バヨネットリング７の被係止部１７の弾性変形部４１が、円筒状のバヨネットリング本体部１９から突出しており、バヨネットリング７の被係止部１７の被係止部本体部４５が、バヨネットリング本体部１９の円弧の沿った円弧状に形成されており、この円弧の中間部が弾性変形部４１の先端部に接合されている。また、コネクタポジション保証材９が第２の位置Ｐ２にあるときに、第１の保証材当接部２７が、メスハウジング３と被係止部本体部４５との間に入り込むことで、弾性変形部４１が変形することが阻止されるように構成されている。
【００９８】
これにより、接合完了状態であるときに、被係止部１７が設けられ弾性変形部４１に支持されている被係止部本体部４５（メスハウジング３と協働してコネクタポジション保証材９の第１の保証材当接部２７を挟み込んでいる被係止部本体部４５）の姿勢を確実に保つことができ、バヨネットリング７の被係止部１７がメスハウジング３の係止部１５に係止されている状態の維持を確実にすることができる。
【００９９】
［第２の実施形態］
次に、本発明の第２の実施形態に係る回転式コネクタ１ａについて、図１２、図１３を参照しつつ説明する。
【０１００】
本発明の第２の実施形態に係る回転式コネクタ１ａは、コネクタポジション保証材９ａの第１の保証材当接部２７ａの形態が、本発明の第１の実施形態に係る回転式コネクタ１のものとは異なっており、その他の点は、本発明の第１の実施形態に係る回転式コネクタ１とほぼ同様に構成されており、ほぼ同様の効果を奏する。
【０１０１】
すなわち、本発明の第２の実施形態に係る回転式コネクタ１ａは、コネクタポジション保証材９ａが第１の位置Ｐ１に位置している状態（図１３（ａ）参照）でも、第１の保証材当接部２７ａが被係止部１７に当接して、弾性変形部４１が過大変形することが阻止されるように構成されている。
【０１０２】
過大変形を防止することで、弾性変形部４１が第３の変形量（第１の変形量よりも少なく、第２の変形量と等しいか僅かに異なっている変形量）よりも大きくは変形しないようになっている。
【０１０３】
さらに説明すると、本発明の第１の実施形態に係る回転式コネクタ１では、上記準備状態や図１０（ａ）で示す接合状態のように、被係止部本体部４５とメスハウジング本体部１１との間が寸法Ｌ１だけ空いている。
【０１０４】
これに対して、本発明の第２の実施形態に係る回転式コネクタ１ａでは、上記準備状態や図１３（ａ）で示す接合状態のように、第１の保証材当接部２７ａが被係止部本体部４５とメスハウジング本体部１１との間に入り込んでいることで、被係止部本体部４５と第１の保証材当接部２７ａとの間が寸法Ｌ２（Ｌ２＜Ｌ１）しか空いていない。これにより、弾性変形部４１が過大変形することが阻止される。
【０１０５】
なお、図１３（ｂ）で示すように、接合完了状態では、本発明の第１の実施形態に係る回転式コネクタ１と同様に、係止部１５の弾性変形部４１の変形量が小さくなり、バヨネットリング７の被係止部１７が、メスハウジング３の係止部１５に係止されている状態が維持される。
【０１０６】
回転式コネクタ１ａによれば、コネクタポジション保証材９ａが第１の位置Ｐ１に位置している状態であっても、コネクタポジション保証材９ａの第１の保証材当接部２７ａがバヨネットリング７の被係止部１７に当接して、バヨネットリング７の被係止部１７の弾性変形部が過大変形することが阻止されるように構成されているので、バヨネットリング７に対するコネクタポジション保証材９ａに位置に関わらず、バヨネットリング７の被係止部１７の弾性変形部４１が過大変形することが防止され、バヨネットリング７の被係止部１７の耐久性の確保し、また、バヨネットリング７の被係止部１７の破損等を防止することができる。
【０１０７】
なお、上述した回転式コネクタ１、１ａは、第１のハウジングと第２のハウジングとバヨネットリングとコネクタポジション保証材とを備え、前記第１のハウジングと前記第２のハウジングとに係合している前記バヨネットリングを回転させることで前記第１のハウジングに前記第２のハウジングを接合し、前記第１のハウジングに前記第２のハウジングが接合されている状態を、前記バヨネットリングに係合している前記コネクタポジション保証材を移動することで維持（保持；保証）する回転式コネクタであって、前記第１のハウジングに前記第２のハウジングを接合する前の準備状態では、前記コネクタポジション保証材の移動が阻止され、前記第１のハウジングに前記第２のハウジングが接合された接合状態では、前記コネクタポジション保証材の移動が可能になり、この移動をすることで、前記第１のハウジングに前記第２のハウジングが接合されている状態を維持するように構成されている回転式コネクタの例である。
【符号の説明】
【０１０８】
１、１ａ  回転式コネクタ
３  第１のハウジング（メスハウジング）
５  第２のハウジング（オスハウジング）
７  バヨネットリング
９  コネクタポジション保証材
１５  係止部
１７  被係止部
２１  保証材本体部
２３  被当接部
２５  当接部
２７、２７ａ  第１の保証材当接部
２９  第２の保証材当接部
３１  保証材突出部
３３  円弧状の溝
３５  溝非形成部
３７  コネクタポジション保証材支持部
３９  バヨネットリング当接部
４１  弾性変形部
４３  係止突起
４５  被係止部本体部
４７  被係止突起
Ｐ１  第１の位置
Ｐ２  第２の位置
【図１】
2020177726.tif 000003
【図２】
2020177726.tif 000004
【図３】
2020177726.tif 000005
【図４】
2020177726.tif 000006
【図５】
2020177726.tif 000007
【図６】
2020177726.tif 000008
【図７】
2020177726.tif 000009
【図８】
2020177726.tif 000010
【図９】
2020177726.tif 000011
【図１０】
2020177726.tif 000012
【図１１】
2020177726.tif 000013
【図１２】
2020177726.tif 000014
【図１３】
2020177726.tif 000015
【図１４】
2020177726.tif 000016